(57)【要約】【課題】  光ディスクのラベル面に対する印刷を複数回追加することが可能な仕組みを提供することを目的とする。【解決手段】  メイン制御部２０１は、光ディスク１０１における先頭のリードインを検出してそれをディスクの基準位置として特定する。さらに、実データと実データとの境界に配置されたリードイン及びリードアウトを検出して実データの個数を特定する。ラベル面において複数の印刷領域が予め決まっているので、これらの印刷領域の中から、特定した基準位置と特定した個数とに基づいて、印刷を行うべき印刷領域を特定する。そして、特定した印刷領域に対してラベル印刷を実施する。このようにすることで、従来は不可能であった１枚の光ディスクへの複数回のラベル印刷が可能となる。【選択図】      図１
2006244601.tif 000002
【特許請求の範囲】
【請求項１】
印刷データを取得する取得手段と、
光ディスクのラベル面に印刷を行う印刷手段と、
光ディスクの記録面を走査する走査手段と、
光ディスクにおいて予め決められた基準位置を特定する基準位置特定手段と、
前記走査手段を用いて光ディスクの記録面を走査し、該記録面に記録された実データと
実データとの境界に配置されている境界領域を検出することで該記録面に記録された実デ
ータの個数を特定するデータ個数特定手段と、
光ディスクのラベル面の決められた位置に配置された複数の印刷領域の中から、前記基
準位置を基準として、前記データ個数特定手段によって特定された実データの個数に見合
った位置に配置されている印刷領域を特定する印刷領域特定手段と、
特定された印刷領域に対して、前記取得手段によって取得された印刷データに基づいた
印刷を前記印刷手段に行わせる印刷制御手段と
を備えることを特徴とする光ディスク印刷装置。
【請求項２】
印刷データを取得する取得手段と、
光ディスクのラベル面に印刷を行う印刷手段と、
光ディスクの記録面を走査する走査手段と、
光ディスクにおいて予め決められた基準位置を特定する基準位置特定手段と、
前記走査手段を用いて光ディスクの記録面から実データを読み出し、読み出した実デー
タの内容を解析することで該記録面に記録されている実データの個数を特定するデータ個
数特定手段と、
光ディスクのラベル面の決められた位置に配置された複数の印刷領域の中から、前記基
準位置を基準として、前記データ個数特定手段によって特定された実データの個数に見合
った位置に配置されている印刷領域を特定する印刷領域特定手段と、
特定された印刷領域に対し、前記取得手段によって取得された印刷データに基づいた印
刷を前記印刷手段に行わせる印刷制御手段と
を備えることを特徴とする光ディスク印刷装置。
【請求項３】
印刷データを取得する取得手段と、
光ディスクのラベル面に印刷を行う印刷手段と、
光ディスクの記録面を走査する走査手段と、
光ディスクにおいて予め決められた基準位置を特定する基準位置特定手段と、
光ディスクの記録方式の種類に応じて該光ディスクの記録面に記録されている実データ
の個数を特定するためのアルゴリズムを記憶した記憶手段と、
装填された光ディスクの記録方式の種類を判別する判別手段と、
判別された種類に応じたアルゴリズムを用いて光ディスクの記録面に記録されている実
データの個数を特定するデータ個数特定手段と、
光ディスクのラベル面において決められた位置に配置された複数の印刷領域の中から、
前記基準位置を基準として、前記データ個数特定手段によって特定された実データの個数
に見合った位置に配置されている印刷領域を特定する印刷領域特定手段と、
特定された印刷領域に対し、前記取得手段によって取得された印刷データに基づいた印
刷を前記印刷手段に行わせる印刷制御手段と
を備えることを特徴とする光ディスク印刷装置。
【請求項４】
前記基準位置特定手段は、前記走査手段を用いて光ディスクの記録面を走査し、該記録
面においてデータ記録が開始された位置を前記基準位置として特定する請求項１〜３のい
ずれか１項に記載の光ディスク印刷装置。
【請求項５】
前記基準位置特定手段は、光ディスクの記録面又はラベル面に設けられたマーキングエ
リアを検出し、そのマーキングエリアの位置を前記基準位置として特定する請求項１〜３
のいずれか１項に記載の光ディスク印刷装置。
【請求項６】
前記データ個数特定手段は、前記境界領域に記録されたリードイン又はリードアウトを
検出することで前記実データの個数を特定する請求項１記載の光ディスク印刷装置。
【請求項７】
コンピュータに、
光ディスクにおいて予め決められた基準位置を特定する機能と、
走査手段を用いて光ディスクの記録面を走査し、該記録面に記録された実データと実デ
ータとの境界に配置されている境界領域を検出することで該記録面に記録されている実デ
ータの数を特定する機能と、
光ディスクのラベル面の決められた位置に配置された複数の印刷領域の中から、前記基
準位置を基準として、特定された実データの個数に見合った位置に配置されている印刷領
域を特定する機能と、
特定された印刷領域に対して印刷データに基づいた印刷を印刷手段に行わせる機能と  
を実現させるプログラム。
【請求項８】
コンピュータに、
光ディスクにおいて予め決められた基準位置を特定する機能と、
走査手段を用いて光ディスクの記録面から実データを読み出し、読み出した実データの
内容を解析することで該記録面に記録されている実データの個数を特定する機能と、
光ディスクのラベル面の決められた位置に配置された複数の印刷領域の中から、前記基
準位置を基準として、特定された実データの個数に見合った位置に配置されている印刷領
域を特定する機能と、
特定された印刷領域に対して印刷データに基づいた印刷を印刷手段に行わせる機能と
を実現させるプログラム。
【請求項９】
コンピュータに、
光ディスクにおいて予め決められた基準位置を特定する機能と、
装填された光ディスクの記録方式の種類を判別する機能と、
判別された種類に応じて予め決められたアルゴリズムを記憶手段から読み出し、当該ア
ルゴリズムを用いて光ディスクの記録面に記録されている実データの個数を特定する機能
と、
光ディスクのラベル面の決められた位置に配置された複数の印刷領域の中から、前記基
準位置を基準として、特定された実データの個数に見合った位置に配置されている印刷領
域を特定する機能と、
特定された印刷領域に対して印刷データに基づいた印刷を前記印刷手段に行わせる機能
と
を実現させるプログラム。
【発明の詳細な説明】
【技術分野】
【０００１】
本発明は、光ディスクのラベル面に文字や図柄などを印刷するための技術に関する。
【背景技術】
【０００２】
光ディスクのラベル面には、そのディスクの記録面に記録されている情報のタイトルや
見出しなどが印刷されている。よって、この印刷された内容を見れば、どのような情報が
光ディスクに記録されているかを容易に判別することができる。例えば、音楽やソフトウ
ェアが記録された市販の光ディスクは、このようなラベル面への印刷（以下、ラベル印刷
という）がなされた状態で流通するのが普通である。最近では、ＣＤ−Ｒ（Compact Disk
Recordable）やＣＤ−ＲＷ（Compact Disk ReWritable）などの、エンドユーザが情報を
自由に書き込むことが可能な追記型光ディスクも市販されている。このため、エンドユー
ザ自身が操作することで光ディスクへのラベル印刷を自由に行えるような装置が提案され
ている。
【０００３】
ユーザがこの種の追記型光ディスクにラベル印刷を行う場合には、まず、光ディスク記
録装置によって光ディスクに情報を記録した後に、この装置から光ディスクを取り出し、
さらに専用の光ディスク印刷装置を用いてラベル面の印刷を行う、という手順を踏むこと
になる。しかし、この方法では、装置間で光ディスクを入れ替えたり、各々の装置を別々
に操作しなければならないなど、手間が煩雑である。そこで、特許文献１には、光ディス
ク記録装置と光ディスク印刷装置とを一体に形成し、情報が記録された光ディスクを取り
出すことなく、データ記録に引き続いてラベル印刷を行うための技術が提案されている。
さらに、特許文献２では、製品出荷時等に予め文字や図柄がラベル印刷されている光ディ
スクに対し、それらの文字や図柄と一定の位置関係にある領域にユーザが所望する文字を
追加印刷するための技術が提案されている。
【特許文献１】特開平９−２６５７６０号公報
【特許文献２】特開２０００−４０２６４号公報
【発明の開示】
【発明が解決しようとする課題】
【０００４】
ところで、追記型光ディスクにおいては、情報の記録が１回限りではなく、複数回の情
報が順次追加されて記録されることがある。この場合には、記録面にその都度追記された
内容に応じて、ラベル面の印刷内容も順次追加できるようにすることが望ましい。しかし
ながら、上記に挙げた特許文献１，２に記載された技術では、記録面に対するデータの記
録を１回だけしか想定していないために、ラベル印刷を複数回追加して行うことができな
いという問題がある。
【０００５】
そこで、本発明の目的は、光ディスクのラベル面に対する印刷を複数回行うことが可能
な仕組みを提供することにある。
【課題を解決するための手段】
【０００６】
上記課題を解決するため、本発明は、印刷データを取得する取得手段と、光ディスクの
ラベル面に印刷を行う印刷手段と、光ディスクの記録面を走査する走査手段と、光ディス
クにおいて予め決められた基準位置を特定する基準位置特定手段と、前記走査手段を用い
て光ディスクの記録面を走査し、該記録面に記録された実データと実データとの境界に配
置されている境界領域を検出することで該記録面に記録された実データの個数を特定する
データ個数特定手段と、光ディスクのラベル面の決められた位置に配置された複数の印刷
領域の中から、前記基準位置を基準として、前記データ個数特定手段によって特定された
実データの個数に見合った位置に配置されている印刷領域を特定する印刷領域特定手段と
、特定された印刷領域に対して、前記取得手段によって取得された印刷データに基づいた
印刷を前記印刷手段に行わせる印刷制御手段とを備えることを特徴とする光ディスク印刷
装置を提供する。この装置によれば、光ディスクにおける基準位置を特定するとともに、
実データと実データとの境界領域を検出して実データの個数を特定する。そして、この基
準位置を基準として、実データの個数に見合った位置の印刷領域に印刷を行う。これによ
って、光ディスクのラベル面への複数回の印刷が可能となる。
【０００７】
また、本発明は、印刷データを取得する取得手段と、光ディスクのラベル面に印刷を行
う印刷手段と、光ディスクの記録面を走査する走査手段と、光ディスクにおいて予め決め
られた基準位置を特定する基準位置特定手段と、前記走査手段を用いて光ディスクの記録
面から実データを読み出し、読み出した実データの内容を解析することで該記録面に記録
されている実データの個数を特定するデータ個数特定手段と、光ディスクのラベル面の決
められた位置に配置された複数の印刷領域の中から、前記基準位置を基準として、前記デ
ータ個数特定手段によって特定された実データの個数に見合った位置に配置されている印
刷領域を特定する印刷領域特定手段と、特定された印刷領域に対し、前記取得手段によっ
て取得された印刷データに基づいた印刷を前記印刷手段に行わせる印刷制御手段とを備え
ることを特徴とする光ディスク印刷装置を提供する。この装置によれば、光ディスクにお
ける基準位置を特定するとともに、実データの内容を解析して実データの個数を特定する
。そして、この基準位置を基準として、実データの個数に見合った位置の印刷領域に印刷
を行う。これによって、光ディスクのラベル面への複数回の印刷が可能となる。
【０００８】
また、本発明は、印刷データを取得する取得手段と、光ディスクのラベル面に印刷を行
う印刷手段と、光ディスクの記録面を走査する走査手段と、光ディスクにおいて予め決め
られた基準位置を特定する基準位置特定手段と、光ディスクの記録方式の種類に応じて該
光ディスクの記録面に記録されている実データの個数を特定するためのアルゴリズムを記
憶した記憶手段と、装填された光ディスクの記録方式の種類を判別する判別手段と、判別
された種類に応じたアルゴリズムを用いて光ディスクの記録面に記録されている実データ
の個数を特定するデータ個数特定手段と、光ディスクのラベル面において決められた位置
に配置された複数の印刷領域の中から、前記基準位置を基準として、前記データ個数特定
手段によって特定された実データの個数に見合った位置に配置されている印刷領域を特定
する印刷領域特定手段と、特定された印刷領域に対し、前記取得手段によって取得された
印刷データに基づいた印刷を前記印刷手段に行わせる印刷制御手段とを備えることを特徴
とする光ディスク印刷装置を提供する。この装置によれば、光ディスクにおける基準位置
を特定するとともに、装填された光ディスクの記録方式に応じたアルゴリズムによって当
該光ディスクに記録されている実データの個数を特定する。そして、この基準位置を基準
として、実データの個数に見合った位置の印刷領域に印刷を行う。これによって、記録方
式の種類に関わらず、光ディスクのラベル面への複数回の印刷が可能となる。
【０００９】
本発明の好ましい態様においては、前記基準位置特定手段は、前記走査手段を用いて光
ディスクの記録面を走査し、該記録面においてデータ記録が開始された位置を前記基準位
置として特定する。この態様によれば、光ディスク印刷装置の構成が簡易となる。
【００１０】
また、別の好ましい態様においては、前記基準位置特定手段は、光ディスクの記録面又
はラベル面に予め設けられたマーキングエリアを検出し、そのマーキングエリアの位置を
前記基準位置として特定する。
【００１１】
記録面に記録された実データと実データとの境界に配置されている境界領域を検出する
ことで該記録面に記録された実データの個数を特定する場合、好適には、前記データ個数
特定手段が前記境界領域に記録されたリードイン又はリードアウトを検出することで前記
実データの個数を特定する。
【００１２】
また、本発明は、コンピュータに、光ディスクにおいて予め決められた基準位置を特定
する機能と、走査手段を用いて光ディスクの記録面を走査し、該記録面に記録された実デ
ータと実データとの境界に配置されている境界領域を検出することで、該記録面に記録さ
れている実データの数を特定する機能と、光ディスクのラベル面の決められた位置に配置
された複数の印刷領域の中から、前記基準位置を基準として、特定された実データの個数
に見合った位置に配置されている印刷領域を特定する機能と、特定された印刷領域に対し
て印刷データに基づいた印刷を印刷手段に行わせる機能とを実現させるプログラムを提供
する。
【００１３】
また、本発明は、コンピュータに、光ディスクにおいて予め決められた基準位置を特定
する機能と、走査手段を用いて光ディスクの記録面から実データを読み出し、読み出した
実データの内容を解析することで該記録面に記録されている実データの個数を特定する機
能と、光ディスクのラベル面の決められた位置に配置された複数の印刷領域の中から、前
記基準位置を基準として、特定された実データの個数に見合った位置に配置されている印
刷領域を特定する機能と、特定された印刷領域に対して印刷データに基づいた印刷を印刷
手段に行わせる機能とを実現させるプログラムを提供する。
【００１４】
また、本発明は、コンピュータに、光ディスクにおいて予め決められた基準位置を特定
する機能と、装填された光ディスクの記録方式の種類を判別する機能と、判別された種類
に応じて予め決められたアルゴリズムを記憶手段から読み出し、当該アルゴリズムを用い
て光ディスクの記録面に記録されている実データの個数を特定する機能と、光ディスクの
ラベル面の決められた位置に配置された複数の印刷領域の中から、前記基準位置を基準と
して、特定された実データの個数に見合った位置に配置されている印刷領域を特定する機
能と、特定された印刷領域に対して印刷データに基づいた印刷を前記印刷手段に行わせる
機能とを実現させるプログラムを提供する。
【発明を実施するための最良の形態】
【００１５】
以下、本発明の最良の実施の形態について説明する。
（１）構成
まず、図１〜図３を参照して、本実施形態に係る光ディスク記録印刷装置１００の構造
について説明する。図１は、光ディスク記録印刷装置１００の要部の側面図（うち一部は
断面図）である。図２は、光ディスク記録印刷装置１００の要部を図１の矢印ａ方向から
見た場合の平面図である。図３は、光ディスク記録印刷装置１００の要部を図１の矢印ｂ
方向からみた場合の平面図である。この光ディスク記録印刷装置１００は、光ディスクの
記録面に対してデータの読み書きを行う機能と、その光ディスクのラベル面に対して文字
や図柄などユーザが所望する画を印刷する機能とを備えている。
【００１６】
図１に示すように、光ディスク１０１が載置されるディスクトレイ１０２の上方には、
印字ヘッド１０３が設けられている。印字ヘッド１０３には、印刷に用いるインクを蓄え
たインクタンク１０４と、インクを吐出するノズル１０５と、インクをノズル１０５に送
り出すアクチュエータ（図示略）とが設けられている。この印字ヘッド１０３は、図２に
示すように、光ディスク記録印刷装置１００の筐体に固定された２本のシャフト１０６に
掛け渡されている。また、印字ヘッド１０３は連結具１０７を介して環状のベルト１０８
に連結されている。このベルト１０８は、２つのプーリ１０９に張架されており、ヘッド
モータ１１０の正逆の回転運動に伴って矢印ｃ方向に往復運動する。これにより、ベルト
１０８に連結されている印字ヘッド１０３も矢印ｃ方向に往復運動するようになっている
。
【００１７】
図１に戻り、ディスクトレイ１０２の下方には、光ディスク１０１を回転させるための
スピンドルモータ１１１と、ディスクトレイ１０２を収納及び排出するためのトレイモー
タ１１２が設けられている。トレイモータ１１２の回転軸には、回転動力を水平方向の移
動動力に変換してディスクトレイ１０２に伝達するためのスクリューシャフト１１３が取
り付けられている。ディスクトレイ１０２は、このスクリューシャフト１１３により、ト
レイシャフト１１４に沿って図中ｄ方向に往復移動させられる。
【００１８】
さらに、ディスクトレイ１０２の下方には、図３に示すように、光ディスク１０１の記
録面を光学的に走査し、この記録面からデータを読み出したり、この記録面にデータを書
き込んだりするためのピックアップ部１１５が設けられている。ピックアップ部１１５は
、ガイドレール１１６ａ及びスクリューシャフト１１６ｂに連結されている。スレッドモ
ータ１１７がこのスクリューシャフト１１６ｂを正逆に回転させることによって、ピック
アップ部１１５は光ディスク１０１の径方向（図中矢印ｅ方向）に往復移動させられる。
ピックアップ部１１５は、この往復移動と同時に光ディスク１０１に対するデータの読み
書きを行う。なお、図３では、図１を用いて既に説明したディスクトレイ１０２の駆動系
については図示を省略している。
以上が、光ディスク記録印刷装置１００の構造である。
【００１９】
次に、図４のブロック図を参照しながら、光ディスク記録印刷装置１００のハードウェ
ア構成について説明する。図４において、メイン制御部２０１は、ＣＰＵ（Central Proc
essing Unit）や各種メモリによって構成されたマイクロコンピュータである。メイン制
御部２０１は、メモリ２０２に記憶された制御プログラムを実行することにより、光ディ
スク記録印刷装置１００の全体動作を中枢的に制御する。
【００２０】
ピックアップ制御部２０３、吐出制御部２０４及びモータ制御部２０５は、メイン制御
部２０１から指示に従って、各種のアクチュエータやモータ類の駆動制御を行う。例えば
メイン制御部２０１は、ピックアップ制御部２０３及びモータ制御部２０５に指示を送っ
て、光ディスク１０１の記録面をピックアップ部１１５によって走査させる。この場合、
ピックアップ制御部２０３は、モータ制御部２０５によるスピンドルモータ１１１の回転
動作と連動して、ピックアップ部１１５から出力される信号を処理したり、ピックアップ
部１１５に連結されているアクチュエータ１１８を制御することで光ディスク１０１の偏
芯や反りの影響を受けないように光ディスク１０１の記録面表面を一定の位置に保つ働き
をする。
【００２１】
また、メイン制御部２０１は、光ディスク１０１のラベル面において印刷を行うべき印
刷領域の位置を特定し、吐出制御部２０４及びモータ制御部２０５に指示を送ってその印
刷領域に印刷データに基づいた印刷処理を実行させる。この際、吐出制御部２０４は、モ
ータ制御部２０５によるヘッドモータ１１０やトレイモータ１１２の駆動動作と連動して
、アクチュエータ駆動波形を生成しアクチュエータ１１９へ駆動信号を送る。アクチュエ
ータ１１９は駆動信号に応じた量のインクをノズル１０５に供給し、ラベル面に対して吐
出させる。また、メイン制御部２０１は、インタフェース部２０６を介して接続されてい
るパーソナルコンピュータ３０１（以下パソコン３０１という）等の外部機器とデータ通
信を行う。上述した印刷データはパソコン３０１から光ディスク記録印刷装置１００に供
給されてくるので、インタフェース部２０６はこれを取得してメイン制御部２０１に供給
するようになっている。
【００２２】
次に、光ディスク１０１のラベル面に印刷を行う仕組みについて説明する。
図５は、光ディスク１０１において印刷がなされる印刷領域の一例を示す図である。こ
こでは、ユーザがそれぞれ異なる時期に受けた計４回の健康診断結果が光ディスク１０１
の記録面に逐次追記されていくに伴い、これら追記された各健康診断結果の見出しがラベ
ル面に印刷されている例を図示している。ラベル面において印刷がなされる印刷領域の位
置は予め決まっている。例えば領域Ａ１１は、光ディスク１０１に記録されたデータ全体
のタイトル乃至見出しが最初のラベル印刷時に印刷される領域である。これに対し、領域
Ａ２１〜２８は、各々の追記データのタイトル乃至見出しが印刷される領域である。
【００２３】
さらに、領域Ａ２１〜Ａ２８については、印刷される順番も予め決まっている。ここで
は領域Ａ２１→Ａ２２→Ａ２３→Ａ２４→Ａ２５→Ａ２６→Ａ２７→Ａ２８という順番で
印刷されるものとする。つまり、図５に示す例では、各々の健康診断の日時と、その健康
診断が行われた場所（ここでは「労働保健協会」）とが見出しとして領域Ａ２１→Ａ２２
→Ａ２３→Ａ２４という順番で印刷されていることになる。従って、次の健康診断結果が
追記データとして記録面に記録された場合は、領域Ａ２５にその健康診断の日時と場所が
印刷されることになる。
【００２４】
メイン制御部２０１のメモリ２０２には、上述した各々の印刷領域の位置が記述された
印刷領域テーブルが記憶されている。図６はこの印刷領域テーブルの記述例を示す図であ
る。図６における「領域番号」は、領域Ａ１１，Ａ２１，Ａ２２，Ａ２３，Ａ２４，Ａ２
５，Ａ２６，Ａ２７，Ａ２８に対して、それぞれ、０，１，２，３，４，５，６，７，８
という昇順で割り当てられている。「始点座標」は、各印刷領域の矩形左上隅（図５の印
刷領域Ａ２１であれば点ｃ１）の座標値を意味している。「終点座標」は、各印刷領域の
矩形右下隅（図５の印刷領域Ａ２１であれば点ｃ２）の座標値を意味している。なお、印
刷領域を位置を表す座標系としては、図５に示したように、光ディスク１０１の中心を原
点としたｘ、ｙ平面の直交座標系を用いている。
【００２５】
ラベル面に追加印刷を行う前に、メイン制御部２０１は、光ディスク１０１の記録面を
走査することで、記録済みの追記データの個数を特定し、その特定した個数に見合った領
域番号を指し示す位置にポインタＰを移動させる（図６参照）。図５の場合では、既に４
個の追記データが記録されているから、図６に示すように、ポインタＰが指し示す印刷領
域は領域番号「４」の印刷領域Ａ２４ということになる。メイン制御部２０１は、このよ
うにして特定した印刷領域に印刷を行えばよい。
【００２６】
ただし、光ディスク１０１は、光ディスク記録印刷装置１００に装填されるたびに、異
なる向きでディスクトレイ１０２に載置されるため、必ずしも図５に示したような向き、
つまり、直交座標系のｘ軸、ｙ軸と整合するような向きに載置されるとは限らない。そこ
で、メイン制御部２０１は、光ディスクの向きと座標系とが整合するような位置関係に調
整しなければならない。
【００２７】
以下では、図７〜１０を参照して、上記の追記データの個数特定の仕組みや、光ディス
クの向き調整の仕組みについて詳細に説明する。
まず追記データの個数特定は次のようにして行う。追記型光ディスクに対する記録方式
には、セッションアットワンスやトラックアットワンスなどの複数の方式がある。図７は
、セッションアットワンス方式でデータが書き込まれた記録面のデータ構造を表す模式図
である。この方式では追記の度に、最初に記録の開始を表すリードインが書き込まれ、次
いで実データが書き込まれ、最後に記録の終了を表すリードアウトが書き込まれるように
なっている。ここで、実データとは、例えば上述の健康診断結果ほか、音楽データや画像
データ或いはコンピュータソフトウエアなどの光ディスク１０１に記録されるべき実体デ
ータそのものを意味している。図７に示したようなデータ構造を採る場合、リードイン及
びリードアウトは実データと実データとの境界領域に配置されることになるから、光ディ
スク記録印刷装置１００は、光ディスク１０１の記録面を走査してリードイン及びリード
アウトが何個あるかを特定すれば、実データの個数（つまり追記データの個数）を特定す
ることができる。
【００２８】
次に、光ディスクの向き調整は、記録面のもっとも先頭に記録されたリードインＲin１
の位置（その光ディスクにおいてデータ記録が初めて開始された位置）を基準位置として
特定し、その基準位置に基づいて光ディスク１０１を適宜回転させることで行われる。具
体的には、リードインＲin１の位置と直交座標系のｙ軸とが互いに重なり合うものとして
予め決めておけば、ピックアップ部１１５がリードインＲin１を検出するのと同時に光デ
ィスク１０１の回転を停止させると、光ディスク１０１を向きと直交座標系のｙ軸とが重
なり合い、これによって光ディスク１０１の向きを座標系と整合させることができる。も
ちろんリードインＲin１と直交座標系のｙ軸とが重なり合わないような場合もあるが、図
８に示すように、光ディスク１０１の中心とリードインＲinとを結び直線がｙ軸となす角
度θを予め把握しておき、印刷の際にそのθの値を考慮すれば光ディスクを正しい向きに
調整することができる。これによって、リードインＲin１と直交座標系のｙ軸とが重なり
合わないような場合であっても、図９に示すように、それぞれの印刷領域の相対的な位置
関係を一定に維持することが可能となる。
【００２９】
次に、トラックアットワンス方式は、データを複数のトラックのまとまりとして記録面
に書き込む方式である。このトラックアットワンス方式の場合であっても、図１０に示す
ように上記と同様の原理で記録面からリードイン及びリードアウトを検出することにより
追記データの個数を特定することができる。また、光ディスクの向き調整に関しても上記
と同様に、光ディスク１０１を適宜回転させてリードインＲin１がｙ軸と重なり合うよう
にすることで実現することができる。
【００３０】
（２）動作
次に、光ディスク記録印刷装置１００の動作説明を行う。
図１１は、メイン制御部２０１によって記憶されている制御プログラムの手順を示すフ
ローチャートであり、光ディスク１０１に対するデータ記録からラベル印刷までの一連の
処理が示されている。以下では、図５に示した状態の１つ前の状態の光ディスク（つまり
計３回の健康診断結果が記録されている光ディスク）に対して、さらに４回目の健康診断
結果を追記する場合を例に挙げて説明する。
【００３１】
ユーザは、光ディスク記録印刷装置１００に光ディスクを装填した後、パソコン３０１
を操作して追記すべき記録データ（４回目の健康診断結果）を指定する。さらに、ユーザ
は、印刷したい見出しの内容（ここでは「（４）2005/02/20  労働保健協会」とする）を
パソコン３０１に入力する。これらの操作に応じて、パソコン３０１から光ディスク記録
印刷装置１００のインタフェース部２０６に記録データが供給される。インターフェース
部２０６はこの記録データを取得し、メイン制御部２０１に供給する。メイン制御部２０
１はこの記録データを取り込むと（ステップＳ１）、モータ制御部２０５及びピックアッ
プ制御部２０３に指示を送り、光ディスク１０１を回転させながらその光ディスク１０１
にレーザー光を照射させて、取り込んだデータを記録面に記録していく（ステップＳ２）
。つまり、メイン制御部２０１は、リードイン→実データ（４回目の健康診断結果）→リ
ードアウトという順番でデータを記録する。
【００３２】
データ記録が終了すると（ステップＳ３；Ｙｅｓ）、パソコン３０１から光ディスク記
録印刷装置１００のインタフェース部２０６に印刷データが供給されてくる。インタフェ
ース部２０６はこの印刷データを取得し、メイン制御部２０１に供給する。メイン制御部
２０１は印刷データを取り込むと（ステップＳ４）、まずモータ制御部２０５に指示を送
ってスレッドモータ１１７を駆動させ、ピックアップ部１１５を光ディスク１０１の最内
周側に移動させる（ステップＳ５）。次に、メイン制御部２０１は、モータ制御部２０５
及びピックアップ制御部２０３に指示を送って光ディスク１０１を高速で回転させつつ、
その記録面をピックアップ部１１５に走査させてリードイン及びリードアウトを検出させ
る（ステップＳ６）。この結果、４個のリードインと４個のリードアウトが検出されるこ
とになる。光ディスク１０１を高速で回転させる理由は、ここではリードインおよびリー
ドアウトを検出するだけであるから、高速回転させてもこれらを容易に検出することが可
能であるし、高速回転させた方が処理が早く済むからである。
【００３３】
次に、メイン制御部２０１は、メモリ２０２に記憶されている印刷領域テーブルを参照
し、検出したリードイン及びリードアウトの個数（４個）に見合った印刷領域の領域番号
（ここでは領域番号４）にポインタＰを移動させる（ステップＳ７）。次に、メイン制御
部２０１は、再びモータ制御部２０５に指示を送ってスレッドモータ１１７を駆動させ、
ピックアップ部１１５を光ディスク１０１の最内周側に移動させる（ステップＳ８）。そ
して、メイン制御部２０１は、モータ制御部２０５に指示を送って光ディスク１０１を低
速で回転させ（ステップＳ９）、その記録面をピックアップ部１１５に走査させる。ここ
で、光ディスク１０１を低速で回転させる理由は、ピックアップ部１１５がリードインＲ
in１を検出した位置でスピンドルモータ１１１の回転を停止させやすくするためのである
。
【００３４】
そして、メイン制御部２０１は、ピックアップ部１１５が先頭のリードインＲin１を検
出すると同時に（ステップＳ１０；Ｙｅｓ）、モータ制御部２０５によるスピンドルモー
タ１１１の回転をロック（停止）させる（ステップＳ１１）。スピンドルモータ１１１は
一般的な３相モータであるから、回転停止時点での各相への駆動電流配分を保持するか或
いはある１相のみに電流を流すことで、スピンドルモータ１１１の回転をロックさせるこ
とができる。このようにスピンドルモータ１１１の回転を確実にロックすることで、光デ
ィスク１０１がラベル印刷中に外力による振動やショック等が原因で回転してしまうよう
な事態を防止することができる。
【００３５】
次に、メイン制御部２０１は、印刷領域テーブル上のポインタＰが指し示す始点座標（
４，−３）、終点座標（１，−２）を読み出して印刷領域Ａ２４の位置を特定する。そし
て、メイン制御部２０１は、モータ制御部２０５に指示を送り、ヘッドモータ１１０によ
り印字ヘッド１０３の移動を制御するとともに、トレイモータ１１２によりディスクトレ
イ１０２の移動を制御することによって、印字ヘッド１０３のノズル１０５を印刷領域Ａ
２４の上方に移動させる（ステップＳ１２）。この後、メイン制御部２０１は、モータ制
御部２０５に指示して印字ヘッド１０３とディスクトレイ１０２の移動を制御しつつ、吐
出制御部２０４に指示を送ってノズル１０５からの吐出タイミングやインク吐出量を制御
することで、印刷領域Ａ２４に「（４）2005/02/20  労働保健協会」という文字を印刷す
る（ステップＳ１３）。この印刷処理が終了すると、メイン制御部２０１は印刷終了を意
味する終了信号をパソコン３０１に送信し（ステップＳ１４）、すべての処理を終了する
。
【００３６】
本実施形態によれば、例えば光ディスクにデータを記録してからラベル印刷の為に新た
なプリンタを用意し、そのプリンタに光ディスクをセッティングし直すなどの作業を行わ
なくても、データ記録からラベル印刷までの一連の作業を容易かつ迅速に終えることが可
能となる。また、本実施形態では、光ディスク１０１における先頭のリードインＲin１を
検出してそれをディスクの基準位置とし、さらに、実データと実データとの境界領域に配
置されたリードイン及びリードアウトを検出して実データの個数を特定する。そして、こ
の基準位置と特定した個数とに基づいて、印刷を行うべき印刷領域を特定する。これによ
り、従来は不可能であった１枚の光ディスクへの複数回のラベル印刷が可能となる。
【００３７】
（３）変形例
上記の実施形態は次のような変形が可能である。
（３−１）変形例１
追記型光ディスクには、パケットライト方式と呼ばれるものもある。この方式は、トラ
ックよりもさらに小さいパケット単位で切れ目なく連続して実データを記録するものであ
り、前述したリードイン及びリードアウトのような実データ間の境界領域が存在していな
い。よって、この場合には、メイン制御部２０１は、ピックアップ制御部２０３に指示を
送り、ピックアップ部１１５を用いて光ディスクの記録面から実データをすべて読み出し
、読み出した実データをメモリ２０２に一時的に格納する。次に、メイン制御部２０１は
この実データの内容を解析し、例えばトラック単位とかファイル単位というように、ひと
まとまりのデータブロック単位に分離する。従って、このデータブロックの個数を実デー
タの個数とすればよい。なお、このようなアルゴリズムで実データの個数を判別すること
ができる光ディスクは、パケットライト方式以外の方式で記録された光ディスクであって
もよい。
【００３８】
（３−２）変形例２
変形例１でも述べたように光ディスクの記録方式には複数あるので、単一種類の記録方
式に対応しているだけでは、光ディスクの多様化に対応することができないという問題が
ある。そこで、光ディスク記録印刷装置１００を次のような構成としてもよい。メイン制
御部２０１のメモリ２０２に、光ディスクの記録方式の種類に応じて、その光ディスクの
記録面に記録されている実データの個数を特定するためのアルゴリズムを複数記憶してお
く。例えば、実データどうしの間に配置されている境界領域を検出することで実データの
個数を特定するというアルゴリズム（実施形態で説明したアルゴリズム）と、光ディスク
の記録面から実データを読み出し、読み出した実データの内容を解析することでその記録
面に記録されている実データの個数を特定するというアルゴリズム（変形例１で説明した
アルゴリズム）とをメモリ２０２に記憶しておく。そして、メイン制御部２０１は、装填
された光ディスク１０１から記録方式の種類を判別し、判別された種類に応じたアルゴリ
ズムをメモリ２０２から読み出し、これを用いて、光ディスク１０１に記録されている実
データの個数を特定すればよい。もちろん、光ディスクに記録されている実データの個数
を特定するためのアルゴリズムは上記の例に限定されるものではなく、それぞれの記録方
式の特性に応じて適宜定めればよい。
【００３９】
（３−３）変形例３
基準位置の特定方法は、光ディスク１０１のもっとも先頭のリードインＲin１（記録面
においてデータ記録が開始された位置）を検出して行うという方法に限定されるものでは
ない。例えば特開２０００−４０２６４号公報に記載されているように、光ディスクの所
定のエリアに特殊な染料で予めマーキングを施しておき、光ディスクを回転させながら専
用のセンサでこのマーキングを検出すると直ちに光ディスクの回転を停止させるようにし
てもよい。なお、このマーキングが施されるエリア（マーキングエリア）は光ディスク１
０１の記録面であってもよいしラベル面であってもよい。なお、この変形例３の基準位置
の特定方法では、専用のセンサで特殊なマーキングエリアを検出するので、基準位置を特
定する精度が比較的高いという利点がある。一方、実施形態の基準位置の特定方法では、
変形例３のような専用のセンサ等を必要とせず一般的なピックアップ部を用いて実現でき
るので、構成が簡易になるという利点がある。
【００４０】
（３−４）変形例４
実施形態では、印字ヘッド１０３を一定の方向（ｙ軸方向）に往復移動させつつ、ディ
スクトレイ１０２をそれと直交する方向（ｘ軸方向）に往復移動させることで、ラベル面
の任意の位置に印刷を行うようにしていた。ただし、この構成に限らず、印字ヘッド１０
３をｘ軸、ｙ軸のそれぞれの方向に移動可能となるように構成し、ディスクトレイ１０２
を全く移動させないまま印字ヘッド１０３のみを移動させることでラベル面の任意の位置
に印刷を行うようにしてもよい。また、印字ヘッド１０３を光ディスク１０１の径方向に
往復移動させつつ、スピンドルモータ１１１で光ディスク１０１を周方向に正逆回転させ
ることで、ラベル面の任意の位置に印刷を行うように構成してもよい。つまり、ラベル面
に印刷を行う印刷手段の構成は任意である。
【００４１】
（３−５）変形例５
実施形態では、印字ヘッド１０３を光ディスク１０１に対してピックアップ部１１５の
反対側に配置していたが、このピックアップ部１１５と同じ側に配置するようにしてもよ
い。この場合、ユーザがデータ記録の後に光ディスクを反転させて、印字ヘッド１０３が
ラベル面に正対するようにしなければならないというデメリットがあるが、光ディスク記
録印刷装置１００を全体的に薄型にまとめることができるというメリットがある。さらに
、印字ヘッド１０３とピックアップ部１１５を同一ユニットとして構成すれば、より単純
な構成で光ディスク記録印刷装置１００を実現できることになる。
【００４２】
（３−６）変形例６
実施形態で述べた光ディスク記録印刷装置１００においては、データを記録する機能は
必ずしも必須ではなく、記録面を走査する機能さえあればよい。また、光ディスク１０１
にはデータ記録前に印刷された印刷領域があってもよい。また、追記型光ディスクの種類
はＣＤ−ＲやＣＤ−ＲＷに限らないことはもちろんである。また、光ディスク記録印刷装
置１００の機能の一部をパソコン３０１に搭載するようにしてもよい。特にメイン制御部
２０１が制御プログラムの手順に従って行う動作は、パソコン３０１に委譲することが容
易である。なお、この制御プログラムは、磁気テープ、磁気ディスク、フロッピー（登録
商標）ディスク、光記録媒体、光磁気記録媒体、ＣＤ（Compact Disk）、ＤＶＤ（Digita
l Versatile Disk）、ＲＡＭなどの記録媒体に記録した状態で提供し得る。
【図面の簡単な説明】
【００４３】
【図１】本発明の実施の形態に係る光ディスク記録印刷装置の要部の側面図である。
【図２】同記録印刷装置の要部の平面図である。
【図３】同記録印刷装置の要部の平面図である。
【図４】同記録印刷装置のハードウェア構成を示すブロック図である。
【図５】光ディスク上の印刷領域の一例を示す図である。
【図６】光ディスク上の印刷領域の位置が記述された印刷領域テーブルの一例を示す図である。
【図７】光ディスクに書き込まれたデータの構造を示す図である。
【図８】光ディスクに書き込まれたデータの構造を示す図である。
【図９】光ディスク上の印刷領域の一例を示す図である。
【図１０】光ディスクに書き込まれたデータの構造を示す図である。
【図１１】光学的なデータ書き込みからラベル印刷処理までの一連の動作を示すフローチャートである。
【符号の説明】
【００４４】
１００・・・光ディスク記録印刷装置、１０１・・・光ディスク、１０２・・・ディス
クトレイ、１０３・・・印字ヘッド、１０５・・・ノズル、１１０・・・ヘッドモータ、
１１１・・・スピンドルモータ、１１２・・・トレイモータ、１１５・・・ピックアップ
部、１１７・・・スレッドモータ、２０１・・・メイン制御部、２０２・・・メモリ、２
０３・・・ピックアップ制御部、２０４・・・吐出制御部、２０５・・・モータ制御部、
２０６・・・インタフェース部、３０１・・・・パソコン。
【図１】
2006244601.tif 000003
【図２】
2006244601.tif 000004
【図３】
2006244601.tif 000005
【図４】
2006244601.tif 000006
【図５】
2006244601.tif 000007
【図６】
2006244601.tif 000008
【図７】
2006244601.tif 000009
【図８】
2006244601.tif 000010
【図９】
2006244601.tif 000011
【図１０】
2006244601.tif 000012
【図１１】
2006244601.tif 000013